(57)【要約】【課題】  単独のスロット部のみを持ち、通信機能をもたないような安価で小型な構成の電子カメラにおいても、メモリカードに記録した画像データを通信カードを介して伝送できるようにする。【解決手段】  カードスロットにメモリカードが装着されている際には、メモリカード内のひとつまたは複数の画像データを選択できるようにし、選択された画像データを内部メモリに保持する。その後にカードスロットに通信カードが差し替えられると、通信カードを介して保持した画像データの伝送を行う。また、選択作業中は、内部メモリの空き容量を表示する。【選択図】        図１
2005223813.tif 000002
【特許請求の範囲】
【請求項１】
撮影レンズおよび前記撮影レンズを介して得られた被写体像を画像情報に変換する光電変換素子と、
前記画像情報を一時的に記憶する内部メモリと、
交換媒体が挿脱可能なスロット部と、
画像情報を表示可能な表示手段と、
を有し、
前記スロット部にメモリ媒体が装着されている時には前記撮影された画像情報を前記メモリ媒体に記録し、また前記メモリ媒体から画像情報を前記表示手段に再生することが可能な撮像装置であって、
前記撮像装置は更に、前記スロット部に前記メモリ媒体が装着している際に前記メモリ媒体内のひとつまたは複数の画像を選択する画像選択手段と、
前記画像選択手段の操作に応じて、前記選択された画像情報を前記メモリ媒体から前記内部メモリへと移動または複写して保持するよう制御し、また前記スロット部に通信媒体が装着されているときには前記内部メモリに保持された画像情報を、前記通信媒体を介して伝送するよう制御する制御手段と、
を有することを特徴とする撮像装置。
【請求項２】
前記請求項１記載の撮像装置において、
前記制御手段は、前記画像選択手段の操作を有効としているときには、前記内部メモリの空き容量、または前記空き容量に基づいて選択可能な画像の枚数を表示することを特徴とする、前記請求項１記載の撮像装置。
【発明の詳細な説明】
【技術分野】
【０００１】
本発明は、カード型媒体が装着可能なカードスロット部を有する撮像装置に関する。
【背景技術】
【０００２】
従来より、撮影した画像を画像データとしてカード型の記憶媒体、いわゆるメモリカードに記録し、あるいは前記メモリカードの画像を再生表示することのできるデジタルカメラは広く知られている。
【０００３】
また、前記メモリカードと同様の形態をしていて通信機能を有する通信カードも知られており、カメラのカードスロット部にこのような通信カードを装着して画像データを伝送することのできるものが提案されている。
【０００４】
たとえば特許文献１もそのひとつで、カメラに通信手段とメモリを内蔵している。カードスロットにメモリカードが装着されているときには撮影データの記録を内部メモリかメモリカードに選択的に記録できるようにするとともに通信手段は内蔵のものを自動的に選択し、また、スロットに通信カードが装着されている場合は通信手段を内蔵のものと通信カードを選択できるようにするとともに、撮影した画像データは内蔵メモリに記憶するよう構成されている。
【０００５】
また、カードスロットを複数もち、メモリカードと通信カードを同時に装着することで、撮影画像をメモリカードに記録するとともに、メモリカード内の画像データを通信カードを介して伝送できるよう構成したものも提案されている。
【特許文献１】特開平９−８３９３０号公報
【発明の開示】
【発明が解決しようとする課題】
【０００６】
上記従来例の、前者においては、メモリカードに記録された画像データを伝送するために通信手段を内蔵しなければならず、装置が高価にかつ大きくなってしまう。また、後者においても、複数のスロット部を必要とするためやはりそうちが高価にかつ大きくなってしまうという欠点がある。
【０００７】
本発明は、以上の点に着目して成されたもので、単独のスロット部のみを持ち、通信機能をもたないような安価で小型な構成の電子カメラにおいても、メモリカードに記録した画像データを通信カードを介して伝送できるようにする撮像装置を提供することを目的とする。
【課題を解決するための手段】
【０００８】
本発明の請求項１によれば、
撮影レンズおよび前記撮影レンズを介して得られた被写体像を画像情報に変換する光電変換素子と、
前記画像情報を一時的に記憶する内部メモリと、
交換媒体が挿脱可能なスロット部と、
画像情報を表示可能な表示手段と、
を有し、
前記スロット部にメモリ媒体が装着されている時には前記撮影された画像情報を前記メモリ媒体に記録し、また前記メモリ媒体から画像情報を前記表示手段に再生することが可能な撮像装置であって、
前記撮像装置は更に、前記スロット部に前記メモリ媒体が装着している際に前記メモリ媒体内のひとつまたは複数の画像を選択する画像選択手段と、
前記画像選択手段の操作に応じて、前記選択された画像情報を前記メモリ媒体から前記内部メモリへと移動または複写して保持するよう制御し、また前記スロット部に通信媒体が装着されているときには前記内部メモリに保持された画像情報を、前記通信媒体を介して伝送するよう制御する制御手段と、
を有することで、
通信機能を持たないような、また、ひとつのスロット部しか持たないような安価で小型の撮像装置に於いても前記スロット部にメモリ媒体と通信媒体を適宜差し替えることで前記記憶媒体に記録された画像情報を伝送可能にする撮像装置を提供するものである。
【０００９】
また、本発明の第２項によれば、
前記第１項の撮像装置において、
前記制御手段は、前記画像選択手段の操作を有効としているときには、前記内部メモリの空き容量、または前記空き容量に基づいて選択可能な画像の枚数を表示するよう構成することで、一度に複数の画像データを伝送する場合でも、使用者の操作性を向上することのできる撮像装置を提供するものである。
【発明の効果】
【００１０】
以上説明してきたように、本発明の請求項１では、
撮影レンズおよび前記撮影レンズを介して得られた被写体像を画像情報に変換する光電変換素子と、
前記画像情報を一時的に記憶する内部メモリと、
交換媒体が挿脱可能なスロット部と、
画像情報を表示可能な表示手段と、
を有し、
前記スロット部にメモリ媒体が装着されている時には前記撮影された画像情報を前記メモリ媒体に記録し、また前記メモリ媒体から画像情報を前記表示手段に再生することが可能な撮像装置であって、
前記撮像装置は更に、前記スロット部に前記メモリ媒体が装着している際に前記メモリ媒体内のひとつまたは複数の画像を選択する画像選択手段と、
前記画像選択手段の操作に応じて、前記選択された画像情報を前記メモリ媒体から前記内部メモリへと移動または複写して保持するよう制御し、また前記スロット部に通信媒体が装着されているときには前記内部メモリに保持された画像情報を、前記通信媒体を介して伝送するよう制御する制御手段と、
を有することで、
通信機能を持たないような、また、ひとつのスロット部しか持たないような安価で小型の撮像装置に於いても前記スロット部にメモリ媒体と通信媒体を適宜差し替えることで前記記憶媒体に記録された画像情報を伝送可能にする撮像装置を提供することができる。
【００１１】
また、本発明の第２項によれば、
前記第１項の撮像装置において、
前記制御手段は、前記画像選択手段の操作を有効としているときには、前記内部メモリの空き容量、または前記空き容量に基づいて選択可能な画像の枚数を表示するよう構成することで、一度に複数の画像データを伝送する場合でも、使用者の操作性を向上することのできる撮像装置を提供することができる。
【発明を実施するための最良の形態】
【００１２】
以下本発明を実施するための最良の形態を、実施例により詳しく説明する。
【実施例】
【００１３】
図１は本発明の実施例を示すカメラ本体のブロック図、第２図はその外観図で、図２（ａ）は前面側を、図２（ｂ）は背面側を示す。
【００１４】
１はカメラ本体、２は撮影レンズで、被写体像はＣＣＤなどの撮像素子３上に結像されて電気信号に変換される。４はＡ／Ｄ変換器、５は所定の色変換やガンマ補正などを行う処理部で、タイミング発生回路６は前記撮像素子３、Ａ／Ｄ変換器４、処理部５にクロック信号や制御信号を供給し、制御部７に制御される。
【００１５】
８はメモリで、撮影時にはたとえば連写や動画撮影などの際に所定枚数の静止画や所定時間の動画データが一時退避できるような容量が設けられており、一部は制御部の作業エリアとしても使用される。
【００１６】
９は再生画像の表示や撮影時のファインダとして画像を表示するＬＣＤなどの画像表示部で、前記メモリ８の一部のエリアは前記表示部の表示用に割り当てられる。これらメモリ８、表示部９も制御部７に制御されている。
【００１７】
１０は、メモリカード１１や、内部にアンテナ部を有する通信カード１２などが装着されるカードスロット部で、メモリ８内の画像情報などがインターフェイス回路１３を介して授受される。インターフェイス回路１３は制御部７に制御されるとともに、装着されたカードがメモリカードであるか、通信カードであるかといった検知情報を制御部７に送る。
【００１８】
１４は鏡筒駆動アクチュエータでシャッタ、絞り、フォーカス駆動、ズーム駆動が含まれる。１５はその駆動回路で、制御部７に制御される。
【００１９】
１６はレリーズＳＷで、第１ストロークでＳＷ１が、第２ストロークでＳＷ２がそれぞれＯＮ状態となる。１７はモードＳＷで、撮影／再生／ＯＦＦの切り替えを選択できる。１８は操作ＳＷで、撮影および再生状態で、カメラの各種設定の変更や操作を行うことができる。図２において、１８−ａはセットＳＷ、１８−ｂはＤＯＷＮ−ＳＷ、１８−ｃはＵＰ−ＳＷ、１８−ｄはメニューＳＷ、１８−ｅはディスプレイｏｎ／ｏｆｆ切り替えＳＷである。
【００２０】
１９は電源回路で、電池２０からの電力を各回路に必要な電圧に変換して供給するもので、制御部７に制御される。
【００２１】
２１はカードスロット蓋で、２２は前記蓋２１の開放ボタン、２３はファインダ、２４はストロボである。
【００２２】
以上のような構成のカメラにおけるシーケンスについて以下に説明する。
【００２３】
モードＳＷ１７が再生を選択されると、カメラは図３の再生モードに入る（Ｓ１０１）。最初にカードスロットの検出を行い（Ｓ１０２）、メモリカード１１が挿入されていないときは再生画像が読み出せないので、表示部９にエラー表示を行う（Ｓ１０３）。
【００２４】
メモリカード１１が挿入されているときには、記録されている画像情報から１枚をメモリ８の表示用エリアに読み込み（Ｓ１０４）、表示部９に表示する（Ｓ１０５）。
【００２５】
Ｓ１０６で、モードＳＷ１７が撮影またはＯＦＦに切り替えられれば、再生モードを終了する（Ｓ１０７）が、再生のまま変更されなければ操作部の入力の有無を検出する（Ｓ１０８）。
【００２６】
図４はこのＳ１０８ステップの詳細で、メニューＳＷ１８−ｄ、ＵＰ−ＳＷ１８−ｃ、ＤＯＷＮ−ＳＷ１８−ｂの入力を逐次チェックする（Ｓ１０９，Ｓ１１０，Ｓ１１１）。ＵＰ−ＳＷ１８−ｃおよびＤＯＷＮ−ＳＷ１８−ｂは、このときは再生画像のスクロール機能として割り当てられており、入力が検出されると、メモリカード１１から再生中画像の隣の画像がメモリ８の表示エリアに読み込まれ、表示部９の再生画像が切り替わる（Ｓ１１２、Ｓ１１３）。
【００２７】
Ｓ１０９でメニューＳＷが入力されると、表示部９には再生状態で選択可能な消去／伝送／メモリカード初期化といったメニューが表示される（Ｓ１１４）。
【００２８】
このときは前記ＵＰ−ＳＷ１８−ｃおよびＤＯＷＮ−ＳＷ１８−ｂはメニュー選択のスクロール用に割り当てられ、セットＳＷ１８−ａの入力で選択を確定する。
【００２９】
Ｓ１１５で伝送機能が選択されると、伝送する画像を選択するルーチン（Ｓ１１６）へ移行する。また、Ｓ１１５で画像消去やメモリカード初期化などの機能が選択された場合も適宜それぞれに応じた処理を実行して（Ｓ１１７）戻る。
【００３０】
図５は伝送画像選択処理（Ｓ１１６）の詳細で、始めにメモリ８のうちで伝送待ち画像を保持することが可能なエリアの空き容量を検出して、画像の枚数あるいはメモリ容量を表示部９の一部に表示する（Ｓ１１８）。
【００３１】
次にセットＳＷ１８−ａ、ＵＰ−ＳＷ１８−ｃ、ＤＯＷＮ−ＳＷ１８−ｂの入力を逐次チェックする（Ｓ１１９、Ｓ１２０、Ｓ１２１）。このときは前記再生画像の切り替えと同様に、ＵＰ−ＳＷ１８−ｃおよびＤＯＷＮ−ＳＷ１８−ｂは再生画像のスクロール機能として割り当てられており、入力が検出されると、メモリカード１１から再生中画像の隣の画像がメモリ８の表示エリアに読み込まれ、表示部９の再生画像が切り替わる（Ｓ１２２、Ｓ１２３）。
【００３２】
また、Ｓ１１９でセットＳＷ１８−ａの入力が検出されると、表示中の画像を伝送待ち画像としてメモリ８の保持エリアに複写する（Ｓ１２４）。
【００３３】
Ｓ１２５で、作業を継続するか否かを使用者に選択してもらい、継続が選択された場合はＳ１１８に戻って空き容量を再検知して表示を更新する。以後これを繰り返すことで、複数の画像を一度に選択することができる。継続が終了すると、伝送待機状態であることを示す伝送フラグをセットし（Ｓ１２６）、カードの交換を促す表示を表示部９の一部に表示して戻る。
【００３４】
図３に戻って、Ｓ１２７で、伝送フラグをチェックし、フラグがセットされていなければそのまま再生を継続するものとしてＳ１０６に戻るが、フラグがセットされていると、次はカードスロットを検知する（Ｓ１２８）。スロットに通信カードがセットされると、伝送先を指定し（Ｓ１２９）、伝送を開始する（Ｓ１３０）。伝送の開始はユーザが何らかの操作でトリガを入力するよう構成しても良いし、自動的に開始するよう構成しても良い。
【００３５】
伝送が終了すると、前記伝送フラグをリセットし、メモリに保持した伝送待ちの画像データをクリアして終了する（Ｓ１３１）。
【００３６】
モードＳＷ１７が撮影を選択されると、再生時と同様に最初にカードスロットの検出を行い、メモリカード１１が装着されているのを検出すると、空き容量のチェックを行い、撮影モードの初期設定を実行して撮影スタンバイ状態に移行する。
【００３７】
表示部の表示が選択されているときには、撮像素子３の駆動が開始され、ライブ画像が表示されてファインダ機能を果たす。
【００３８】
レリーズＳＷ１６が操作されてＳＷ１がＯＮになるとＡＦ、ＡＥを行い、ＳＷ２がＯＮになると実際に露出が行われて得られた画像データは前記メモリカード１１に記録される。
【図面の簡単な説明】
【００３９】
【図１】本発明の実施例を示すカメラのブロック図
【図２】前記実施例の外観を示す図
【図３】前記実施例のカメラの再生時のシーケンスを示すフローチャート
【図４】前記フローチャートの一部の詳細を示すフローチャート
【図５】前記フローチャートの一部の詳細を示すフローチャート
【符号の説明】
【００４０】
１  カメラ本体、
７  制御部、
８  内部メモリ、
９  表示部、
１０  カードスロット、
【図１】
2005223813.tif 000003
【図２】
2005223813.tif 000004
【図３】
2005223813.tif 000005
【図４】
2005223813.tif 000006
【図５】
2005223813.tif 000007